(57)【特許請求の範囲】
【請求項１】
時定数キャパシタを含む時定数回路の時定数に応じて三角波信号と矩形波信号を生成する基本波生成部と、
フィードバック電圧と既設定された基準電圧との差信号と前記三角波信号を比較し、前記差信号と前記三角波信号の相対的大きさに応じてＰＷＭ信号を生成するＰＷＭ比較部と、
ＬＣＤバックライトの電源レベルに応じて前記基本波生成部と前記時定数回路との接続ノード及び前記基本波生成部の前記矩形波信号を出力する矩形波信号出力端の電位をセットする信号同期部と、
前記基本波生成部が生成した前記矩形波信号と前記ＰＷＭ比較部が生成した前記ＰＷＭ信号に応じて駆動信号を生成する駆動信号生成部と、を含み、
前記信号同期部は、
前記ＬＣＤバックライトの電源レベルに応じて前記接続ノードと接地との連結をオン／オフスイッチングする第１スイッチと、
前記ＬＣＤバックライトの電源レベルに応じて前記矩形波信号出力端と電圧端との連結をオン／オフスイッチングする第２スイッチと、
を備えることを特徴とするＬＣＤバックライト駆動回路。
【請求項２】
前記基本波生成部は、
前記時定数に応じて前記三角波信号及びクロック信号を生成するメイン発振器と、
前記メイン発振器が生成した前記クロック信号を２分周し前記矩形波信号を生成する２分周器と、
を備えることを特徴とする、請求項１記載のＬＣＤバックライト駆動回路。
【請求項３】
前記ＰＷＭ比較部は、
前記フィードバック電圧と前記基準電圧を比較し、前記差信号を生成するエラー比較器と、
前記エラー比較器が生成した前記差信号と前記メイン発振器が生成した前記三角波信号を比較し、前記差信号と前記三角波信号の相対的大きさに応じて前記ＰＷＭ信号を生成するＰＷＭ比較器と、
を備えることを特徴とする、請求項２記載のＬＣＤバックライト駆動回路。
【請求項４】
前記第１スイッチは、前記ＬＣＤバックライトの電源レベルに応じて、前記第２スイッチと同期して同時にオンまたはオフ動作することを特徴とする、請求項１記載のＬＣＤバックライト駆動回路。
【請求項５】
前記第１スイッチは、前記ＬＣＤバックライトの電源印加の際に、前記接続ノードと接地とを連結させ、前記ＬＣＤバックライト電源が印加されない場合に、前記接続ノードと接地とを分離することを特徴とする、請求項１又は４に記載のＬＣＤバックライト駆動回路。
【請求項６】
前記第２スイッチは、前記ＬＣＤバックライトの電源印加の際に、前記矩形波信号出力端と前記電圧端とを連結し、前記ＬＣＤバックライトの電源が印加されない場合に、前記矩形波信号出力端と電圧端とを分離することを特徴とする、請求項１に記載のＬＣＤバックライト駆動回路。
【請求項７】
前記駆動信号生成部は、
前記基本波生成部が生成した前記矩形波信号を反転した反転矩形波信号を生成するインバータと、
前記基本波生成部が生成した前記矩形波信号と前記ＰＷＭ比較部が生成した前記ＰＷＭ信号の論理積を出力する第１アンドゲートと、
前記インバータが生成した前記反転矩形波信号と前記ＰＷＭ比較部が生成した前記Ｐ  ＷＭ信号の論理積を出力する第２アンドゲートと、
を備えることを特徴とする、請求項１乃至６のいずれか１項に記載のＬＣＤバックライト駆動回路。
【発明の詳細な説明】
【技術分野】
【０００１】
本発明は、ＬＣＤバックライトのパルス幅変調（ＰＷＭ）制御ＩＣ間の同期機能を有するＬＣＤバックライト駆動回路に関し、特にＬＣＤバックライトの複数のＰＷＭ制御ＩＣにそれぞれ適用し、複数のＰＷＭ制御ＩＣの各駆動信号の位相が同期するようにすることによって、複数のＰＷＭ制御ＩＣを同期させることができ、非同期によって発生する干渉信号及び雑音発生を防止することができるＰＷＭ制御ＩＣ間同期機能を有するＬＣＤバックライト駆動回路に関する。
【背景技術】
【０００２】
一般的に、ＬＣＤテレビおよびモニターの市場が大型化することによってＬＣＤバックライトも大容量に発展しており、冷陰極蛍光ランプ（ＣＣＦＬ）などのランプ駆動能力を高めるためにＩＣを２つ以上並列に使用しなければならない必要性が高まっている。この場合、２つ以上のＩＣを駆動する際に、駆動信号の間の位相が同一になるように合わせなければならない。
【０００３】
図１は、従来のＬＣＤバックライト駆動器の構成図である。図１を参照すると、従来のＬＣＤバックライト駆動器は、駆動信号の周波数を決めるための時定数（τ）を提供する時定数回路１と、上記時定数回路１の時定数に応じて第１駆動信号（Ｓｄ１）を発生する第１ＰＷＭ制御ＩＣ（ＩＣ１）と、上記時定数回路１の時定数に応じて第２駆動信号（Ｓｄ２）を発生する第２ＰＷＭ制御ＩＣ（ＩＣ２）とを含む。
【０００４】
上記時定数回路１は、上記時定数を決める時定数キャパシタ（ＣＴ）を含み、さらに時定数抵抗を含むことができ、この際、上記時定数キャパシタ（ＣＴ）と時定数抵抗は多様な方式で連結することができる。
【０００５】
また、上記第１、第２ＰＷＭ制御ＩＣ（ＩＣ１、ＩＣ２）のそれぞれは上記駆動信号を発生するＬＣＤバックライト駆動回路を含み、このＬＣＤバックライト駆動回路については図２を参照して説明する。
【０００６】
図２は、図１のＰＷＭ制御ＩＣ内のＬＣＤバックライトク駆動回路の構成図である。図２を参照すると、従来のＰＷＭ制御ＩＣ内のＬＣＤバックライト駆動回路は、上記時定数（τ）に応じて三角波及び矩形波を生成する基本波生成部１０と、フィードバック電圧（Ｖｆｂ）と既設定された基準電圧（Ｖｒｅｆ）との差信号（Ｓｅｒｏ）と上記三角波信号（Ｓｏｓｃ）を比較してＰＷＭ信号（Ｓｐｗｍ）を生成するＰＷＭ比較部２０と、上記基本波生成部１０の矩形波（Ｓｑ）と上記ＰＷＭ比較部２０のＰＷＭ信号（Ｓｐｗｍ）に応じて駆動信号（Ｓｄ）を生成する駆動信号生成部３０とを含む。
【０００７】
図３は図１のＬＣＤバックライト駆動回路の主要信号のタイミングチャートであって、図３で、Ｓｅｒｏはフィードバック電圧（Ｖｆｂ）と基準電圧（Ｖｒｅｆ）との差電圧であり、Ｓｏｓｃは基本波生成部１０で生成される三角波信号で、Ｓｄは駆動信号であり、駆動信号Ｓｄは高信号（ＨＯ）と低信号（ＬＯ）を含む。
【０００８】
図３を参照すると、前述したように従来のＬＣＤバックライト駆動回路は、上記フィードバック電圧（Ｖｆｂ）と既設定された基準電圧（Ｖｒｅｆ）との差電圧（Ｓｅｒｏ）と三角波信号（Ｓｏｓｃ）に応じてＨＯ信号とＬＯ信号を含む駆動信号（Ｓｄ）を生成する。
【０００９】
これについて具体的に説明すると、図２及び図３に示すように、従来のＬＣＤバックライト駆動回路によって駆動信号（Ｓｄ）を発生する過程は、上記基本波生成部１０が生成した矩形波（Ｓｑ）と上記ＰＷＭ比較部２０が生成したＰＷＭ信号（Ｓｐｗｍ）を比較し、第１の周期ではＨＯ信号（またはＬＯ信号）が出力され、第２の信号周期でＬＯ信号（またはＨＯ信号）信号が出力される。即ち、ＨＯ信号とＬＯ信号は優先順位がなくランダム（Ｒａｎｄｏｍ）に出力される。
【００１０】
このように、従来のＬＣＤバックライト駆動回路において２つ以上のＰＷＭ制御ＩＣを並列に駆動すると、同じ三角波信号を使用しても上記ＨＯ信号とＬＯ信号間に優先順位がないため、複数の駆動信号間の同期が合わなくなる問題点がある。
【００１１】
以上のように、複数のＰＷＭ制御ＩＣにおいて複数の駆動信号がランダムに出力されるため、ＰＷＭ制御ＩＣの出力間で同期がとれなくなり、ＣＣＦＬなどのランプ間に光の干渉と雑音が発生するようになり、これによりＬＣＤバックライトにおいて光の明滅のような不具合現象が生じるようになる問題点がある。
【発明の開示】
【発明が解決しようとする課題】
【００１２】
本発明は、上記の問題点を解決すべく提案されたもので、その目的は、ＬＣＤバックライトの複数のＰＷＭ制御ＩＣにそれぞれ適用し、複数のＰＷＭ制御ＩＣの各駆動信号の位相を同期させることによって、複数のＰＷＭ制御ＩＣを同期させることができ、非同期によって発生される干渉信号及び雑音発生を防止することのできるＰＷＭ制御ＩＣ間同期機能を有するＬＣＤバックライト駆動回路を提供することである。
【課題を解決するための手段】
【００１３】
上記の本発明の目的を達成するために、本発明のＰＷＭ制御ＩＣ間同期機能を有するＬＣＤバックライト駆動回路は、時定数キャパシタを含む時定数回路の時定数に応じて三角波信号と矩形波信号を生成する基本波生成部と、フィードバック電圧と既設定された基準電圧との差信号と上記三角波信号を比較し、差信号と三角波信号の相対的大きさに応じてＰＷＭ信号を生成するＰＷＭ比較部と、ＬＣＤバックライトの電源レベルに応じて上記基本波生成部との時定数回路との接続ノード及び基本波生成部の矩形波信号が出力される矩形波信号出力端の電位をセットする信号同期部と、上記基本波生成部が生成した矩形波信号と上記ＰＷＭ比較部が生成したＰＷＭ信号に応じて駆動信号を生成する駆動信号生成部とを備えることを特徴とする。
【００１４】
上記基本波生成部は、上記時定数に応じて上記三角波信号及びクロック信号を生成するメイン発振器と、上記メイン発振器からのクロック信号を２分周し上記矩形波信号を生成する２分周器とを備えることを特徴とする。
【００１５】
上記ＰＷＭ比較部は、上記フィードバック電圧と既設定された基準電圧を比較し、その差信号を生成するエラー比較器と、上記エラー比較器の差信号と上記メイン発振器の三角波信号を比較し、その相対的大きさに応じてＰＷＭ信号を生成するＰＷＭ比較器とを備えることを特徴とする。
【００１６】
上記信号同期部は、上記ＬＣＤバックライトの電源レベルに応じて上記時定数回路と上記基本波生成部との接続ノードと接地との連結をオン／オフスイッチングする第１スイッチと、         上記ＬＣＤバックライトの電源レベルに応じて上記基本波生成部が矩形波信号を出力した矩形波信号出力端と電圧端との連結をオン／オフスイッチングする第２スイッチと、を含むことを特徴とする。
【００１７】
上記第１スイッチは、上記ＬＣＤバックライトの電源レベルに応じて、上記第２スイッチと同期して同時にオンまたはオフ動作することを特徴とする。
【００１８】
上記第１スイッチは、上記ＬＣＤバックライトの電源印加の際に、上記時定数回路と上記基本波生成部との接続ノードと接地とを連結させ、上記ＬＣＤバックライト電源が印加されない場合に、上記時定数回路と上記基本波生成部との接続ノードと接地とを分離させることを特徴とする。
【００１９】
上記第２スイッチは、上記ＬＣＤバックライトの電源印加の際に、上記基本波生成部の矩形波信号出力端を電圧端に連結（オン）し、上記ＬＣＤバックライト電源が印加されない場合に、上記基本波生成部の矩形波信号出力端と電圧端とを分離（オフ）させることを特徴とする。
【００２０】
上記駆動信号生成部は、        上記基本波生成部が生成した矩形波信号を反転した反転矩形波信号を生成するインバータと、上記基本波生成部が生成した矩形波信号と上記ＰＷＭ比較部が生成したＰＷＭ信号の論理積を出力する第１アンドゲートと、上記インバータが生成した反転矩形波信号と上記ＰＷＭ比較部が生成したＰＷＭ信号の論理積を出力する第２アンドゲートとを含むことを特徴とする。
【発明の効果】
【００２１】
本発明によれば、ＬＣＤバックライトのＰＷＭ制御ＩＣ間同期機能を有するＬＣＤバックライト駆動回路において、ＬＣＤバックライトの複数のＰＷＭ制御ＩＣにそれぞれ適用し、複数のＰＷＭ制御ＩＣの各駆動信号の位相が同期するようにすることによって、複数のＰＷＭ制御ＩＣを同期させることができ、非同期によって発生する干渉信号及び雑音発生を防止することができる。
【００２２】
即ち、上述したようにＰＷＭ制御ＩＣを並列に駆動させる場合、出力信号の位相を同一になるように合わせることができ、上記ＰＷＭ制御ＩＣからの駆動信号の同期を合わせることにより、干渉信号と雑音を防止することができ、ＬＣＤの大画面によるマルチランプを駆動し易くすることができる。しかも、複数個のＰＷＭ制御ＩＣを並列に、かつ安定的に駆動させることが可能である。
【発明を実施するための最良の形態】
【００２３】
以下、本発明の好ましい実施例を添付した図面を参照して、詳しく説明する。本発明に参照された図面において、実質的に同じ構成及び機能を有する構成要素は同一な符号を付す。
【００２４】
図４は、本発明によるＬＣＤバックライト駆動回路の構成図である。図４を参照すると、本発明によるＬＣＤバックライト駆動回路は、時定数キャパシタ（ＣＴ）を含む時定数回路１の時定数に応じて三角波信号（Ｓｏｓｃ）と矩形波信号（Ｓｑ）を生成する基本波生成部１００と、フィードバック電圧（Ｖｆｂ）と既設定された基準電圧（Ｖｒｅｆ）との差信号（Ｓｅｒｏ）と上記三角波信号（Ｓｏｓｃ）を比較し、差信号（Ｓｅｒｏ）と三角波信号（Ｓｏｓｃ）の相対的大きさに応じてＰＷＭ信号（Ｓｐｗｍ）を生成するＰＷＭ比較部２００と、ＬＣＤバックライトの電源レベル（ＰＬ）に応じて上記基本波生成部１００と時定数キャパシタとの接続ノード及び矩形波信号（Ｓｑ）を出力する基本波生成部１００の矩形波信号出力端の電位をセットする信号同期部３００と、上記基本波生成部１００が生成した矩形波信号（Ｓｑ）と上記ＰＷＭ比較部２００が生成したＰＷＭ信号（Ｓｐｗｍ）に応じて駆動信号（Ｓｄ）を生成する駆動信号生成部４００とを含む。
【００２５】
ここで、駆動信号の周波数を決めるための時定数を提供する上記時定数回路１は、上記時定数を決めるために、時定数キャパシタ（ＣＴ）を始め、時定数抵抗等を含むことができ、この際、上記時定数キャパシタ（ＣＴ）と時定数抵抗は既に知られているように多様な方式で連結することができる。
【００２６】
上記基本波生成部１００は、上記時定数キャパシタ（ＣＴ）を含む時定数回路１の時定数に応じて上記三角波信号（Ｓｏｓｃ）及びクロック信号（Ｓｃｌｋ）を生成するメイン発振器１１０と、上記メイン発振器１１０からのクロック信号（Ｓｃｌｋ）を２分周して上記矩形波信号（Ｓｑ）を生成する２分周器１２０とを含む。
【００２７】
上記ＰＷＭ比較部２００は、上記フィードバック電圧（Ｖｆｂ）と既設定された基準電圧（Ｖｒｅｆ）を比較し、その差信号（Ｓｅｒｏ）を生成するエラー比較器２１０と、上記エラー比較器２１０の差信号（Ｓｅｒｏ）と上記メイン発振器１１０の三角波信号（Ｓｏｓｃ）を比較し、差信号（Ｓｅｒｏ）と三角波信号（Ｓｏｓｃ）の相対的大きさに応じてＰＷＭ信号を生成するＰＷＭ比較器２２０を含む。
【００２８】
上記信号同期部３００は、上記ＬＣＤバックライトの電源レベル（ＰＬ）に応じて上記時定数キャパシタ（ＣＴ）と上記基本波生成部１００との接続ノードと接地（ＧＮＤ）との接続をオン／オフスイッチングする第１スイッチ（ＳＷ１）と、上記ＬＣＤバックライトの電源レベルに応じて上記基本波生成部１０の矩形波信号出力端と一定の電位を供給する電圧端（Ｖｃｃ）との接続をオン／オフスイッチングする第２スイッチ（ＳＷ２）を含む。
【００２９】
この際、上記第１スイッチ（ＳＷ１）は、上記ＬＣＤバックライトの電源レベル（ＰＬ）に応じて上記第２スイッチ（ＳＷ２）と同期して同時にオンまたはオフ動作する。
【００３０】
上記第１スイッチ（ＳＷ１）は、上記ＬＣＤバックライトの電源印加の際に、上記時定数キャパシタ（ＣＴ）と上記基本波生成部１００との接続ノードを接地（ＧＮＤ）に連結（オン）させ、上記ＬＣＤバックライト電源が印加されない場合に、上記時定数キャパシタ（ＣＴ）と上記基本波生成部１００との接続ノードを接地（ＧＮＤ）と分離（オフ）させる。
【００３１】
また、上記第２スイッチ（ＳＷ２）は、上記ＬＣＤバックライトの電源印加の際に、上記基本波生成部１００の矩形波信号出力端を電圧端（Ｖｃｃ）に連結（オン）し、上記ＬＣＤバックライト電源が印加されない場合に、上記基本波生成部１００の矩形波信号出力端と電圧端（Ｖｃｃ）を分離（オフ）させる。
【００３２】
上記駆動信号生成部４００は、上記基本波生成部１００の矩形波信号（Ｓｑ）を反転した反転矩形波信号（Ｓｑｂ）を生成するインバータ４１０と、上記基本波生成部１００が生成した矩形波信号（Ｓｑ）と上記ＰＷＭ比較部２００が生成したＰＷＭ信号（ＳＰＷＭ）との論理積を出力する第１アンドゲート４２０と、上記インバータ４１０が生成した反転矩形波信号（Ｓｑｂ）と上記ＰＷＭ比較部２００が生成したＰＷＭ信号（ＳＰＷＭ）との論理積を出力する第２アンドゲート４３０とを含む。
【００３３】
図５は図４に示したＬＣＤバックライト駆動回路の主要信号のタイミングチャートである。図５において、ＰＬはＬＣＤバックライトの電源レベルであり、ＬＣＤバックライトの電源がオンになると、上記電源レベル（ＰＬ）は低レベルから高レベルになり、ＬＣＤバックライトの電源がオフすると高レベルから低レベルになる。
【００３４】
Ｓｅｒｏは、上記エラー比較器２１０より出力される差信号である。Ｓｐｗｍは、上記ＰＷＭ比較部２００より出力される信号である。Ｓｃｌｋは、上記メイン発振器１１０より出力される信号である。Ｓｑは、基本波生成部１００より出力される矩形波信号である。Ｓｑｂは、上記インバータ４１０より出力される反転矩形波信号である。Ｓｄは、駆動信号生成部４００より出力される駆動信号として、互いに異なる位相を有する第１駆動信号（ＨＯ）と第２駆動信号（ＬＯ）とを含む。
【００３５】
図６は、本発明のＬＣＤバックライト駆動回路が適用されるＬＣＤバックライト駆動器の構成図である。
【００３６】
図６に示したＬＣＤバックライト駆動器は、２つのＰＷＭ制御ＩＣ（ＩＣ１０、ＩＣ２０）を含み、上記ＰＷＭ制御ＩＣ（ＩＣ１０、ＩＣ２０）のそれぞれは図４に示した本発明のＬＣＤバックライト駆動回路を含んでいる。
【００３７】
この場合、上記ＬＣＤバックライト駆動回路はＬＣＤバックライトの電源レベル（ＰＬ）に同期されるため、上記２つのＰＷＭ制御ＩＣ（ＩＣ１０、ＩＣ２０）は互いに同期して動作する。
【００３８】
以下、本発明の作用及び効果を添付した図面に基づいて詳しく説明する。
【００３９】
本発明のＬＣＤバックライト駆動回路は、大型バックライトを駆動するために複数のＰＷＭ制御ＩＣを使用するＬＣＤバックライトシステムに適用され、上記複数のＰＷＭ制御ＩＣを同期させて、より効率的、かつ安定的なＬＣＤバックライト動作を可能とする。
【００４０】
これについては、図４及び図６を参照して説明する。
【００４１】
先ず、図４を参照すると、本発明のＬＣＤバックライト駆動回路において、本発明の基本波生成部１００は、時定数キャパシタ（ＣＴ）を含む時定数回路１の時定数に応じて三角波信号（Ｓｏｓｃ）と矩形波信号（Ｓｑ）を図５に示すように生成し、上記三角波信号（Ｓｏｓｃ）をＰＷＭ比較部２００に出力し、上記矩形波信号（Ｓｑ）を駆動信号生成部４００に出力する。
【００４２】
上記ＰＷＭ比較部２００は、ＬＣＤバックライトのフィードバック電圧（Ｖｆｂ）と既設定された基準電圧（Ｖｒｅｆ）との差信号（Ｓｅｒｏ）と上記三角波信号（Ｓｏｓｃ）を比較し、その相対的大きさに応じてＰＷＭ信号（Ｓｐｗｍ）を図５に示すように生成し、上記駆動信号生成部４００に出力する。即ち、ＰＷＭ比較部２００は、差信号（Ｓｅｒｏ）と三角波信号（Ｓｏｓｃ）を比較した結果に基づき、差信号（Ｓｅｒｏ）と三角波信号（Ｓｏｓｃ）との差に応じてＰＷＭ信号（Ｓｐｗｍ）を生成し、図５に示した例では、差信号（Ｓｅｒｏ）が上記三角波信号（Ｓｏｓｃ）より電位が高い場合にＰＷＭ信号（Ｓｐｗｍ）はハイレベルであり、低い場合にＰＷＭ信号（Ｓｐｗｍ）はローレベルである。
【００４３】
この際、上記信号同期部３００は、ＬＣＤバックライトの電源レベル（ＰＬ）に応じて上記基本波生成部１００の時定数キャパシタ（ＣＴ）との接続ノード及び矩形波信号（Ｓｑ）を出力する矩形波信号出力端の電位をセットし、図５に示すように上記三角波信号（Ｓｏｓｃ）と矩形波信号（Ｓｑ）を同期させる。
【００４４】
上記駆動信号生成部４００は、上記基本波生成部１００の矩形波信号（Ｓｑ）と上記ＰＷＭ比較部２００のＰＷＭ信号（Ｓｐｗｍ）に応じて駆動信号（Ｓｄ）を図５に示すように生成する。
【００４５】
図４を参照して、上記基本波生成部１００についてより具体的に説明する。図４において、上記基本波生成部１００のメイン発振器１１０は、上記時定数キャパシタ（ＣＴ）を含む時定数回路１の時定数に応じて上記三角波信号（Ｓｏｓｃ）及びクロック信号（Ｓｃｌｋ）を生成し、上記三角波信号（Ｓｏｓｃ）を上記ＰＷＭ比較部２００に出力し、上記クロック信号（Ｓｃｌｋ）を２分周器１２０に出力する。
【００４６】
そして、上記２分周器１２０は、上記メイン発振器１１０からのクロック信号（Ｓｃｌｋ）を２分周して上記矩形波信号（Ｓｑ）を生成し、上記駆動信号生成部４００に出力する。
【００４７】
例えば、上記三角波信号（Ｓｏｓｃ）及びクロック信号（Ｓｃｌｋ）の周波数が８ＭＨｚである場合、上記矩形波信号（Ｓｑ）の周波数は４ＭＨｚとなる。
【００４８】
図４を参照して、上記ＰＷＭ比較部２００についてより具体的に説明する。図４において、上記ＰＷＭ比較部２００のエラー比較器２１０は、上記フィードバック電圧（Ｖｆｂ）と既設定された基準電圧（Ｖｒｅｆ）を比較し、その差信号（Ｓｅｒｏ）を生成してＰＷＭ比較器２２０に出力する。上記ＰＷＭ比較器２２０は、上記エラー比較器２１０が生成した差信号（Ｓｅｒｏ）と上記メイン発振器１１０が生成した三角波信号（Ｓｏｓｃ）を比較し、その相対的大きさに応じてＰＷＭ信号を生成して上記駆動信号生成部４００に出力する。
【００４９】
図４を参照して、上記信号同期部３００についてより具体的に説明する。図４において、上記信号同期部３００の第１スイッチ（ＳＷ１）は、上記ＬＣＤバックライトの電源レベル（ＰＬ）に応じて上記時定数キャパシタ（ＣＴ）と上記基本波生成部１００との接続ノードと接地との連結をオン／オフスイッチングする。即ち、上記第１スイッチ（ＳＷ１）は、上記ＬＣＤバックライトの電源印加の際に、上記時定数キャパシタ（ＣＴ）と上記基本波生成部１００との接続ノードを接地（ＧＮＤ）に連結（オン）させ、上記ＬＣＤバックライト電源が印加されない場合に、上記時定数キャパシタ（ＣＴ）と上記基本波生成部１００との接続ノードを接地（ＧＮＤ）と分離（オフ）させる。
【００５０】
そして、上記信号同期部３００の第２スイッチ（ＳＷ２）は、上記ＬＣＤバックライトの電源レベルに応じて上記基本波生成部１０の矩形波信号出力端と電圧端（Ｖｃｃ）をオン／オフスイッチングする。即ち、上記第２スイッチ（ＳＷ２）は、上記ＬＣＤバックライトの電源印加の際に、上記基本波生成部１００の矩形波信号出力端を電圧端（Ｖｃｃ）に連結（オン）し、上記ＬＣＤ バックライト電源が印加されない場合に、上記基本波生成部１００の矩形波信号出力端と電圧端（Ｖｃｃ）を分離（オフ）させる。
【００５１】
この際、上記第１スイッチ（ＳＷ１）は、上記ＬＣＤバックライトの電源レベル（ＰＬ）に応じて上記第２スイッチ（ＳＷ２）と同期して同時にオンまたはオフ動作する。
【００５２】
例えば、上記ＬＣＤバックライト電源が供給され電源レベル（ＰＬ）がハイレベルになる場合、上記第１スイッチ（ＳＷ１）及び第２スイッチ（ＳＷ２）は全てオンとなり、時定数キャパシタ（ＣＴ）と接続される上記基本波生成部１００の接続ノードが接地と連結され、図５に示すように上記三角波信号（Ｓｏｓｃ）がローレベルとなる。これと同時に上記基本波生成部１０の矩形波信号出力端がハイレベルを供給する電圧端（Ｖｃｃ）に連結され、図５に示すように上記矩形波信号（Ｓｑ）はハイレベルとなり、上記反転矩形波信号（Ｓｑｂ）はローレベルとなる。
【００５３】
上述したような上記信号同期部３００の動作に応じて、図５に示すように、上記ＬＣＤバックライトの電源レベル（ＰＬ）がＬＣＤバックライト電源印加に応じてハイレベルに遷移され、これにより上記ＰＷＭ比較部２００の三角波信号（Ｓｏｓｃ）、矩形波信号（Ｓｑ）及び反転矩形波信号（Ｓｑｂ）が互いに同期される。
【００５４】
このように、上記ＰＷＭ比較部２００の三角波信号（Ｓｏｓｃ）、矩形波信号（Ｓｑ）及び反転矩形波信号（Ｓｑｂ）が互いに同期されることによって、図６に示すように、複数のＰＷＭ制御ＩＣ（ＩＣ１０、ＩＣ２０）が本発明のＬＣＤ バックライト駆動回路を含み、各ＬＣＤバックライト駆動回路がＬＣＤバックライトの電源レベル（ＰＬ）に応じて同期して動作するため、上記複数のＰＷＭ制御 ＩＣ（ＩＣ１０、ＩＣ２０）はそれぞれ同期されるようになり、互いに同期された駆動信号（Ｓｄ１、Ｓｄ２）を出力できるようになる。
【００５５】
また、図４を参照すると、上記駆動信号生成部４００についてより具体的に説明する。
【００５６】
図４において、上記駆動信号生成部４００のインバータ４１０は、上記基本波生成部１００が生成した矩形波信号（Ｓｑ）を反転した反転矩形波信号（Ｓｑｂ）を生成し第１アンドゲート４２０及び第２アンドゲート４３０に出力する。
【００５７】
上記第１アンドゲート４２０は、上記基本波生成部１００が生成した矩形波信号（Ｓｑ）と上記ＰＷＭ比較部２００が生成したＰＷＭ信号（ＳＰＷＭ）を論理積し、図５に示すように駆動信号（Ｓｄ）の第１同信号（ＨＯ）を出力する。
【００５８】
そして、上記第２アンドゲート４３０は、上記インバータ４１０が生成した反転矩形波信号（Ｓｑｂ）と上記ＰＷＭ比較部２００が生成したＰＷＭ信号（ＳＰＷＭ）を論理積し、図５に示すように駆動信号（Ｓｄ）の第２同信号（ＨＯ）を出力する。
【００５９】
以上で説明した本発明は、上述した実施例及び添付された図面によって限定されるものではなく、特許請求の範囲によって限定される。即ち、本発明の装置は本発明の技術的思想を外れない範囲の内で様々な形態に置換、変形及び変更することが可能であることは、本発明が属する技術分野において通常の知識を有する者にとって自明である。
【図面の簡単な説明】
【００６０】
【図１】従来のＬＣＤバックライト駆動器の構成図である。
【図２】図１のＰＷＭ制御ＩＣ内のＬＣＤバックライト駆動回路の構成図である。
【図３】図１のＬＣＤバックライト駆動回路の主要信号のタイミングチャートである。
【図４】本発明によるＬＣＤバックライト駆動回路の構成図である。
【図５】図４のＬＣＤバックライト駆動回路の主要信号のタイミングチャートである。
【図６】本発明のＬＣＤバックライト駆動回路が適用されるＬＣＤバックライト駆動器の構成図である。
【符号の説明】
【００６１】
１００  基本波生成部
１１０  メイン発振器
１２０  ２分周器
２１０  エラー比較器
２２０  ＰＷＭ比較器
２００  ＰＷＭ比較部
３００  信号同期部
ＳＷ１  第１スイッチ
ＳＷ２  第２スイッチ
４００  駆動信号生成部
４１０  インバータ
４２０  第１アンドゲート
４３０  第２アンドゲート
ＣＴ  時定数キャパシタ
Ｓｏｓｃ  三角波信号
Ｓｃｌｋ  クロック信号
Ｓｑ  矩形波信号
Ｖｆｂ  フィードバック電圧
Ｖｒｅｆ  基準電圧
Ｓｅｒｏ  差信号
Ｓｐｗｍ  ＰＷＭ信号
ＰＬ  ＬＣＤバックライトの電源レベル
【図１】
0004550856.tif 000002
【図２】
0004550856.tif 000003
【図３】
0004550856.tif 000004
【図４】
0004550856.tif 000005
【図５】
0004550856.tif 000006
【図６】
0004550856.tif 000007